(57)【要約】【課題】利便性を向上できる包装容器を提供する。【解決手段】対向する前面部１１と背面部１２とを有して内容物を取り出す取出口１０ａが上方に開口する箱状の本体部１０と、背面部１２の上端に連設して折曲されるとともに取出口１０ａを開閉する蓋部２０とを備えた包装容器１において、取出口１０ａが本体部１０の上方及び前方に面して開口するとともに、本体部１０が背面部１２に面した仕切板１６を有して背面部１２と仕切板１６との間に薄状部材Ｐの収納部１９を形成し、仕切板１６の上部に薄状部材Ｐの挿通口１９ａを設けた。【選択図】図４
2014189288.tif 000002
【特許請求の範囲】
【請求項１】
対向する前面部と背面部とを有して内容物を取り出す取出口が上方及び前方に面して開口する箱状の本体部と、前記背面部の上端に連設して折曲されるとともに前記取出口を開閉する蓋部とを備えた包装容器において、前記本体部が前記背面部に面した仕切板を有して前記背面部と前記仕切板との間に薄状部材の収納部を形成し、前記仕切板の上部に前記薄状部材の挿通口を設けたことを特徴とする包装容器。
【請求項２】
前記蓋部が前記本体部の前面を覆う蓋前面部と、前記本体部の上面を覆う蓋上面部と、前記蓋前面部に対向して前記背面部に連設される蓋背面部とを有し、前記挿通口が前記背面部の上端と同じ高さまたは前記背面部の上端よりも下方に形成されることを特徴とする請求項１に記載の包装容器。
【請求項３】
前記蓋部が前記背面部に連設して前記本体部の上面を覆う蓋上面部を有し、前記挿通口が前記背面部の上端よりも下方に形成されることを特徴とする請求項１に記載の包装容器。
【請求項４】
前記挿通口の前縁から上方に突出する突出部を設けたことを特徴とする請求項２または請求項３に記載の包装容器。
【請求項５】
前記本体部の底面から前面の前記取出口の下端までの距離が前記薄状部材の長手方向の長さよりも小さいことを特徴とする請求項１〜請求項４のいずれかに記載の包装容器。
【発明の詳細な説明】
【技術分野】
【０００１】
本発明は、ガム等の内容物と捨て紙等の添付物とを別々に収納する包装容器に関する。
【背景技術】
【０００２】
ガムと捨て紙とを収納する包装容器は特許文献１に開示される。この包装容器は前面部と背面部とを有して上面にガムの取出口が開口する箱状の本体部と、取出口を開閉する蓋部とを備えている。蓋部は背面部の上端に連設して折曲可能に形成され、前面部の上部を覆う蓋前面部が設けられる。
【０００３】
本体部には前面部に面して仕切板が配され、前面部と仕切板との間に捨て紙の収納部が形成される。前面部の上部にはスリットが形成され、スリットを介して捨て紙が収納部に出し入れされる。スリットの上端には、弾性を有して捨て紙の収納部内への落下を防止するフラップが設けられる。
【０００４】
蓋部により取出口が閉じられると、蓋前面部によってスリットが覆われる。蓋部が開かれると取出口を介してガムを取り出すことができるとともに、スリットに挿入された捨て紙を取り出すことができる。噛み終わったガムは捨て紙に包んで廃棄される。
【先行技術文献】
【特許文献】
【０００５】
【特許文献１】特許第４９４４６４９号公報（第３頁〜第７頁、第２図）
【発明の概要】
【発明が解決しようとする課題】
【０００６】
しかしながら、上記従来の包装容器によると、取出口が本体部の上面に設けられるため取出口を下方に向けてガムを取り出すことになり、誤ってガムが大量に排出される場合がある。この問題を解決するために取出口に手指を挿入して所定量のガムを摘持して取り出せるように、本体部の前面部の上端及び左右の側面板の上端を低くして取出口を大きく開口すると、捨て紙の収納部が本体部の前面に設けられるため、スリットの上方に突出した捨て紙によってガムを取り出しにくくなる場合がある。このため、包装容器の利便性が悪くなる問題があった。
【０００７】
本発明は、利便性を向上できる包装容器を提供することを目的とする。
【課題を解決するための手段】
【０００８】
上記目的を達成するために本発明は、  対向する前面部と背面部とを有して内容物を取り出す取出口が上方及び前方に面して開口する箱状の本体部と、前記背面部の上端に連設して折曲されるとともに前記取出口を開閉する蓋部とを備えた包装容器において、前記本体部が前記背面部に面した仕切板を有して前記背面部と前記仕切板との間に薄状部材の収納部を形成し、前記仕切板の上部に前記薄状部材の挿通口を設けたことを特徴としている。
【０００９】
この構成によると、箱状の本体部の仕切板と前面部との間にガム等の内容物が収納され、背面部と仕切板との間の収納部に捨て紙等の薄状部材が挿通口を介して挿入される。蓋部が開かれると本体部の上方及び前方に面して開口した取出口から内容物が取り出される。薄状部材は蓋部を開いて内容物の背面側に配された挿通口を介して出し入れされる。
【００１０】
また本発明は、上記構成の包装容器において、前記蓋部が前記本体部の前面を覆う蓋前面部と、前記本体部の上面を覆う蓋上面部と、前記蓋前面部に対向して前記背面部に連設される蓋背面部とを有し、前記挿通口が前記背面部の上端と同じ高さまたは前記背面部の上端よりも下方に形成されることを特徴としている。この構成によると、挿通口から薄状部材が突出した状態で蓋部が閉じられ、蓋部を開いて薄状部材が上端を摘持して取り出される。
【００１１】
また本発明は、上記構成の包装容器において、前記蓋部が前記背面部に連設して前記本体部の上面を覆う蓋上面部を有し、前記挿通口が前記背面部の上端よりも下方に形成されることを特徴としている。この構成によると、挿通口から薄状部材が突出した状態で蓋部が閉じられ、蓋部を開いて薄状部材が上端を摘持して取り出される。
【００１２】
また本発明は、上記構成の包装容器において、前記挿通口の前縁から上方に突出する突出部を設けたことを特徴としている。この構成によると、突出部に手指を掛けて挿通口が開かれ、収納部に薄状部材が収納される。
【００１３】
また本発明は、上記構成の包装容器において、前記本体部の底面から前面の前記取出口の下端までの距離が前記薄状部材の長手方向の長さよりも小さいことを特徴としている。
【発明の効果】
【００１４】
本発明によると、内容物の取出口が本体部の上方及び前方に面して開口するため、取出口から手指を挿入して内容物を摘持して取り出すことができる。また、背面部に面した仕切板によって薄状部材の収納部が本体部の背面に設けられるため、仕切板の上部に設けた挿通口から上方に薄状部材が突出しても内容物を容易に取り出すことができる。従って、包装容器の利便性を向上することができる。
【図面の簡単な説明】
【００１５】
【図１】本発明の第１実施形態の包装容器を示す斜視図
【図２】本発明の第１実施形態の包装容器を示す展開図
【図３】本発明の第１実施形態の包装容器の蓋部を開いた状態を示す斜視図
【図４】本発明の第１実施形態の包装容器の収納部に薄状部材を収納した状態を示す斜視図
【図５】本発明の第２実施形態の包装容器を示す斜視図
【図６】本発明の第２実施形態の包装容器を示す展開図
【図７】本発明の第２実施形態の包装容器の蓋部を開いた状態を示す斜視図
【発明を実施するための形態】
【００１６】
以下に図面を参照して本発明の実施形態を説明する。図１は第１実施形態の包装容器の斜視図を示している。包装容器１は紙容器から成り、ガム（不図示）及び捨て紙Ｐ（図４参照）が収納される。包装容器１は本体部１０と、本体部１０の上部を開閉する蓋部２０とを有している。
【００１７】
本体部１０は対向する前面部１１と背面部１２（図２参照）との間を両側方の側面部１３及び底面部１５（図２参照）により連結した箱状に形成される。蓋部２０は対向する蓋前面部１１と蓋背面部２２（図２参照）との間を両側方の蓋側面部２３及び蓋上面部２４により連結した箱状に形成される。本体部１０の前面部１１と蓋部２０の蓋前面部２１とは上下に分離して設けられる。
【００１８】
図２は包装容器１の展開図を示している。包装容器１は図中、一点鎖線で示す折り線３０で折曲され、喫食時に図中、破線で示す切断線３１で切断される。本体部１０は前面部１１、背面部１２、側面部１３、底面部１５及び仕切板１６を有している。蓋部２０は蓋前面部２１、蓋背面部２２、蓋側面部２３及び蓋上面部２４を有している。
【００１９】
前面部１１の両側方には折り線３０を介して側面部１３が連設され、下方には折り線３０を介して底面部１５が連設される。一方の側面部１３の側方には背面部１２、糊代１７ａが折り線３０を介して順に連設される。前面部１１の上方には切断線３１を介して蓋前面部２１が連設され、蓋前面部２１の上方には折り線３０を介して蓋上面部２４が連設される。
【００２０】
両側面部１３の上方には切断線３１を介して蓋側面部２３が連設され、蓋側面部２３は折り線３０を介して蓋前面部２１に連設している。側面部１３と蓋側面部２３との間の切断線３１は前面側が下がるように傾斜する。両側面部１３の下方には折り線３０を介して折曲片１８ａが連設され、蓋側面部２３の上方には折り線３０を介して折曲片１８ｂが連設される。
【００２１】
背面部１２の上方には折り線３０を介して蓋背面部２２が連設され、蓋背面部２２の一方の側端は折り線３０を介して蓋側面部２３に連設している。背面部１２の下方には折り線３０を介して糊代１７ｂが連設され、蓋背面部２２の上方には折り線３０を介して糊代１７ｄが連設される。
【００２２】
糊代１７ａの上方には切断線３１を介して糊代１７ｃが連設される。糊代１７ｃは折り線３０を介して蓋背面部２２に連設している。糊代１７ｃの下端の切断線３１は側面部１３と蓋側面部２３との間の切断線３１と同様に傾斜する。
【００２３】
糊代１７ｄの上方には糊代１７ｅ、糊代１７ｆ、仕切板１６が折り線３０を介して順に連設される。仕切板１６の両側方には折り線３０を介して折曲片１８ｃが連設される。折曲片１８ｃは仕切板１６に対して下方（組み立て後の上方）に延び、糊代１７ｆに対して切断されている。
【００２４】
また、仕切板１６及び糊代１７ｆにはコ字状のスリット１６ａが形成される。スリット１６ａは水平部分１６ｂを糊代１７ｆ上に形成され、水平部分１６ｂの両端から延びる垂直部分１６ｃが仕切板１６及び糊代１７ｆに跨がって形成される。スリット１６ａによって後述する収納部１９（図３参照）の挿通口１９ａ（図３参照）が形成される。
【００２５】
糊代１７ａは一方の側面部１３の内面に糊付けされ、糊代１７ｃは一方の蓋側面部２３の内面に糊付けされる。折曲片１８ａは糊代１７ｂの内面に面して折曲され、糊代１７ｂは底面部１５の内面に糊付けされる。糊代１７ｄ、１７ｅは二つ折りされ、糊代１７ｄが蓋上面部２４の内面に糊付けされる。糊代１７ｆは蓋背面部２２の内面に糊付けされる。糊代１７ｄ、１７ｅが二つ折りして蓋上面部２４に糊付けされるため、蓋部２０の強度を向上することができる。
【００２６】
仕切板１６及び折曲片１８ｃはそれぞれ背面部１２及び側面部１３に面して本体部１０内に配される。これにより、包装容器１が組み立てられ、本体部１０に対して蓋部２０が背面側で折曲して開閉可能に形成される。尚、包装容器１を箱状に組み立てる際に切断線３１で切断してもよい。
【００２７】
糊代１７ｆ及び蓋背面部２２は上下方向の幅を略同一に形成され、糊代１７ｄ及び糊代１７ｅの厚みだけ糊代１７ｆの下端が蓋背面部２２の下端よりも下方に配される。これにより、蓋部２０を開いた際に仕切板１６と背面部１２との間に捨て紙Ｐ（図４参照）の収納部１９（図３参照）が形成される。
【００２８】
図３は包装容器１の蓋部２０を開いた状態の斜視図を示している。本体部１０は側面部１３の上端が傾斜するため、本体部１０の上部にはガムを取り出す取出口１０ａが上面側と前面側に連続して上方及び前方に面して開口する。左右に配される折曲片１８ｃは取出口１０ａよりも上方に延び、箱状の蓋部２０が被嵌される。
【００２９】
これにより、蓋部２０を閉じた際に蓋前面部２１により本体部１０の前面上部が覆われ、蓋上面部２４により本体部１０の上面が覆われる。また、本体部１０の側面上部を形成する折曲片１８ｃが蓋側面部２３により覆われる。
【００３０】
背面部１２（図２参照）に面して配される仕切板１６は前面部１１よりも上方に延びる。仕切板１６と背面部１２との間には捨て紙Ｐ（図４参照）の収納部１９が背面部１２に沿って取出口１０ａの背面側に形成される。仕切板１６の上部にはスリット１６ａによって捨て紙Ｐ（図４参照）を挿通する挿通口１９ａが背面部１２の上端と同じ高さに形成される。また、スリット１６ａは仕切板１６と糊代１７ｆ（図２参照）とに跨がるため、挿通口１９ａの前縁から上方に突出する突出部１９ｂが形成される。
【００３１】
仕切板１６と前面部１１との間の領域に収納されるガムは取出口１０ａを介して取り出される。この時、仕切板１６が前面部１１よりも上方に延びて取出口１０ａが本体部１０の前面に形成されるため、前面部１１を上方に向けて仕切板１６上に配されたガムを所定量摘持して取り出すことができる。
【００３２】
図４は収納部１９に捨て紙Ｐを収納した状態を示している。突出部１９ｂに手指を掛けて挿通口１９ａが開かれ、捨て紙Ｐが挿通口１９ａを介して収納部１９内に収納される。挿通口１９ａから上方に突出する捨て紙Ｐは上方及び前方に面して本体部１０の上部に開口する取出口１０ａを通って取り出される。
【００３３】
この時、挿通口１９ａが背面部１２の上端と同じ高さに設けられ、蓋部２０が背面部１２に対して折曲される蓋背面部２２を有した箱状に形成される。このため、挿通口１９ａから捨て紙Ｐが上方に突出した状態で蓋部２０を閉じることができる。これにより、蓋部２０を開いた際に取出口１０ａを介して捨て紙Ｐの上端を摘持し、捨て紙Ｐを容易に取り出すことができる。
【００３４】
本実施形態によると、ガムの取出口１０ａが本体部１０の上方及び前方に面して開口するため、取出口１０ａから所定量のガムを摘持して取り出すことができる。また、背面部１２に面した仕切板１６によって捨て紙Ｐの収納部１９が本体部１０の背面に設けられる。このため、仕切板１６の上部に設けた挿通口１９ａから上方に捨て紙Ｐが突出してもガムを容易に取り出すことができる。更に、本体部１０の上面及び前面に開口する取出口１９ａを介して捨て紙Ｐを容易に取り出すことができる。従って、包装容器１の利便性を向上することができる。
【００３５】
また、蓋部２０が背面部１２に連設される蓋背面部２２を有した箱状に形成され、挿通口１９ａが背面部１２の上端と同じ高さに形成される。これにより、挿通口１９ａから上方に捨て紙Ｐが突出しても蓋部２０を閉じることができ、挿通口１９ａから突出した捨て紙Ｐを容易に取り出すことができる。尚、挿通口１９ａを背面部１２の上端よりも下方に形成してもよい。また、側面部１３の上端を蓋上面部２４に近接し、蓋側面部２３を省いて蓋部２０の側面を開放してもよい。
【００３６】
また、挿通口１９ａの前縁から上方に突出する突出部１９ｂを設けたので、突出部１９ｂに手指を掛けて挿通口１９ａを開いて容易に捨て紙Ｐを収納部１９に挿入することができる。
【００３７】
次に、図５は第２実施形態の包装容器１の斜視図を示している。説明の便宜上、前述の図１〜図４に示す第１実施形態と同様の部分には同一の符号を付している。本実施形態は第１実施形態と同様に構成され、蓋部２０の蓋側面部２３（図１参照）を省いて蓋部２０により本体部１０の前面が覆われるように形成される。
【００３８】
蓋部２０は本体部１０の背面部１２（図６参照）に連設された蓋上面部２４と、蓋上面部２４に連設された蓋前面部２１とを有している。蓋上面部２４により本体部１０の上面が覆われ、蓋前面部２１により本体部１０の前面部１１が覆われる。前面部１１には水平なスリット１１ａが設けられ、蓋前面部２１に設けた係止部２１ｂ（図７参照）をスリット１１ａに挿入して蓋部２０が閉じられる。
【００３９】
図６は包装容器１の展開図を示している。包装容器１は図中、一点鎖線で示す折り線３０で折曲され、組み立てる際に図中、破線で示す切断線３１で切断される。本体部１０は前面部１１、背面部１２、側面部１３、上面部１４、底面部１５及び仕切板１６を有している。蓋部２０は蓋前面部２１及び蓋上面部２４を有している。
【００４０】
前面部１１の一側方には底面部１５、背面部１２、蓋上面部２４、蓋前面部２１が折り線３０を介して順に連設される。これにより、蓋部２０が背面部１２に対して折曲可能に形成される。前面部１１の他側方には上面部１４、仕切板１６が折り線３０を介して順に連設される。上面部１４は切断線３１で切断して形成される糊代１７ｑによって上下の端部（組み立て後の左右の端部）に分かれて設けられる。
【００４１】
前面部１１の上下には折り線３０を介して側面部１３が連設される。上面部１４、底面部１５及び背面部１２の上下にはそれぞれ折り線３０を介して折曲片１８ｅ、折曲片１８ｄ、糊代１７ｇが連設される。
【００４２】
前面部２１及び上面部１４は連続した切断線３１によって糊代１７ｐ、１７ｑが切り取られる。これにより、本体部１０の上部に取出口１０ａ（図７参照）が形成される。取出口１０ａは本体部１０の上面側と前面側に連続して上方及び前方に面して開口する。
【００４３】
前面部２１上には組み立てた際に水平方向に延びるスリット１１ａが設けられる。また、蓋前面部２１には組み立てた際に上に凸のスリット２１ａが設けられる。スリット２１ａの両端には蓋前面部２１の下端に向かって延びる折り線３２が設けられる。スリット２１ａ及び折り線３２により、前後に偏位してスリット１１ａに挿入される係止部２１ｂが形成される。また、仕切板１６には糊代１７ｑとの境界の折り線３０に沿って切り取られる開口部１６ｄが設けられる。
【００４４】
折曲片１８ｄ、１８ｅは糊代１７ｇの内面に面して折曲され、糊代１７ｇは側面部１３の内面に糊付けされる。また、取出口１０ａ（図７参照）を形成するために切り取られた糊代１７ｐ、１７ｑはそれぞれ蓋前面部２１及び蓋上面部２４の内面に糊付けされる。これにより、蓋部２０の強度を向上することができる。
【００４５】
各折り線３０で折曲して各糊代１７ｇ、１７ｐ、１７ｑを糊付けすることにより、図５に示す包装容器１が組み立てられる。これにより、本体部１０が箱状に形成され、背面部１２に対向して仕切板１６が配される。この時、上面部１４の前後方向の幅は底面部１５の前後方向の幅よりも狭く形成される。これにより、互いに対向する背面部１２と仕切板１６との間には前後方向に所定の隙間を有した収納部１９（図７参照）が背面部１２に沿って取出口１０ａよりも後方に形成される。
【００４６】
収納部１９の上端には開口部１６ｄによって捨て紙Ｐの挿通口１９ａ（図７参照）が形成される。ガム及び捨て紙Ｐ（図７参照）は仕切板１６と前面部１１との間の領域に収納され、取り出された捨て紙Ｐが収納部１９（図７参照）に収納される。
【００４７】
図７は包装容器１の蓋部２０を開いた状態を示している。仕切板１６と前面部１１との間の領域に収納されるガムは取出口１０ａを介して取り出される。この時、仕切板１６は前面部１１よりも上方に延びて取出口１０ａが本体部１０の前面に形成されるため、前面部１１を上方に向けて仕切板１６上に配されたガムを摘持して取り出すことができる。これにより、誤ってガムが大量に排出されることを防止できる。
【００４８】
捨て紙Ｐは開口部１６ｄにより形成された挿通口１９ａを介して収納部１９内に収納される。収納部１９内に収納された捨て紙Ｐは本体部１０の上面及び前面に開口する取出口１０ａを通って取り出される。この時、開口部１６ｄによって挿通口１９ａが背面部１２の上端よりも下方に設けられる。このため、挿通口１９ａから捨て紙Ｐが上方に突出した状態で蓋部２０を閉じることができる。これにより、蓋部２０を開いた際に取出口１０ａを介して捨て紙Ｐの上端を摘持し、捨て紙Ｐを容易に取り出すことができる。
【００４９】
また、捨て紙Ｐは矩形に形成され、通常長手方向を上下方向に配して収納部１９に収納される。捨て紙Ｐが矩形以外の形状でも同様である。この時、図７に示すように本体部１０の底面から取出口１０ａの下端までの距離Ｄが捨て紙Ｐの長手方向の長さよりも小さい場合でも背面部１２と仕切板１６との間の収納部１９に捨て紙Ｐを収納することができる。従って、ガムの内容量の少ない包装容器１の場合でも捨て紙Ｐの収納部１９を設けることができる。
【００５０】
本実施形態によると、ガムの取出口１０ａが本体部１０の上方及び前方に面して開口するため、取出口１０ａから所定量のガムを摘持して取り出すことができる。また、背面部１２に面した仕切板１６によって捨て紙Ｐの収納部１９が本体部１０の背面に設けられるため、仕切板１６の上部に設けた挿通口１９ａから上方に捨て紙Ｐが突出してもガムを容易に取り出すことができる。従って、包装容器１の利便性を向上することができる。
【００５１】
また、蓋部２０が背面部１２に連設して本体部１０の上面を覆う蓋上面部２４を有し、挿通口１９ａが背面部１２の上端よりも下方に形成される。これにより、挿通口１９ａから上方に捨て紙Ｐが突出しても蓋部２０を閉じることができ、挿通口１９ａから突出した捨て紙Ｐを容易に取り出すことができる。尚、挿通口１９ａの前縁から上方に突出する突出部１９ｂ（図４参照）を第１実施形態と同様に設けてもよい。
【００５２】
また、本体部１０の底面から前面の取出口１０ａの下端までの距離Ｄが捨て紙Ｐの長手方向の長さよりも小さいので、ガムの内容量の少ない包装容器１の場合でも捨て紙Ｐの収納部１９を設けることができる。尚、第１実施形態の包装容器１についても同様に、本体部１０の底面から取出口１０ａの下端までの距離Ｄが捨て紙Ｐの長手方向の長さよりも小さくなっても収納部１９を設けることができる。
【００５３】
第１、第２実施形態において、ガムの包装容器１について説明しているが、他の内容物の包装容器でもよい。この時、内容物に付随する薄状部材から成る添付物を収納部１９内に収納することにより、同様の効果を得ることができる。例えば、内容物が食品であり、添付物がチャック付き袋等に包装されたトッピングであってもよい。
【産業上の利用可能性】
【００５４】
本発明によると、ガムと捨て紙とを収納する包装容器等の、内容物と内容物に付随する薄状部材の添付物とを収納する包装容器に利用することができる。
【符号の説明】
【００５５】
１    包装容器
１０    本体部
１０ａ  取出口
１１    前面部
１１ａ、２１ａ  スリット
１２    背面部
１３    側面部
１４    上面部
１５    底面部
１６    仕切板
１６ｄ  開口部
１７ａ〜１７ｇ、１７ｐ、１７ｑ  糊代
１８ａ〜１８ｅ  折曲片
１９    収納部
１９ａ  挿通口
１９ｂ  突出部
２０    蓋部
２１    蓋前面部
２１ｂ  係止部
２３    蓋側面部
２４    蓋上面部
３０、３２  折り線
３１    切断線
Ｐ    捨て紙
【図１】
2014189288.tif 000003
【図２】
2014189288.tif 000004
【図３】
2014189288.tif 000005
【図４】
2014189288.tif 000006
【図５】
2014189288.tif 000007
【図６】
2014189288.tif 000008
【図７】
2014189288.tif 000009